(57)【要約】【課題】    理美容室用椅子について、座部のスムーズな上昇が行えるものを提供する。【解決手段】  本願発明は、ポンプ６に接続されたサージタンク７と、ポンプ６とサージタンク７の間に設けられた逆止弁８とを備えた理美容室用椅子を提供する。サージタンク７は、内容積を拡縮することが可能であり、弾性部を備えると共に当該弾性部から内容積を縮小するよう付勢を受ける。サージタンク７は、ポンプ６からの流体圧を受けることにより弾性部の付勢に抗し内容積を拡大し、ポンプ６からシリンダ４へ送られる流体の少なくとも一部を収容すると共に、流体圧の低下に伴い、弾性部の上記付勢にて内容積を縮小し、流体をシリンダ４へ送り出す。逆止弁８は、ポンプ６からの流体圧によりポンプ６とサージタンク７を連絡し、上記サージタンク７の流体圧の上昇によりポンプ６とサージタンク７を遮断する。【選択図】          図２
2006223450.tif 000002
【特許請求の範囲】
【請求項１】
座部と、座部を支持する昇降軸と、昇降軸を受容するシリンダと、操作レバーと、昇降軸を昇降させる流体圧を操作レバーの操作により発生させて流体をシリンダへ送り込むポンプとを備えた理美容室用椅子において、
ポンプに接続されたサージタンクと、ポンプとサージタンクの間に設けられた逆止弁とを備え、
サージタンクは、内容積を拡縮することが可能であり、弾性部を備えると共に当該弾性部から内容積を縮小するよう付勢を受け、
サージタンクは、ポンプからの流体圧を受けることにより弾性部の付勢に抗して内容積を拡大し、ポンプからシリンダへ送られる流体の少なくとも一部を収容すると共に、ポンプから受ける流体圧の低下に伴い、弾性部の上記付勢にて内容積を縮小し、流体をシリンダへ送り出すものであり、
逆止弁は、サージタンクからポンプへの流体の逆流を防止するものであり、
逆止弁は、ポンプからの流体圧を受けることによりポンプとサージタンクとを連絡し、サージタンクの流体圧の上昇によりポンプとサージタンクとを遮断するものであることを特徴とする理美容室用椅子。
【請求項２】
上記のサージタンクは、可動部分を備え、
可動部分は、弾性部の上記付勢を受けるものであり、可動部分の変位にて、サージタンクの内容積が拡縮するものであることを特徴とする請求項１記載の理美容室用椅子。
【請求項３】
逆止弁とサージタンクとを連絡する第１の通路と、第１の通路から分岐してシリンダへ通じる第２の通路とを備え、
第１の通路が形成する流体の流路の横断面積は、第２の通路が形成する流体の流路の横断面積より大きいことを特徴とする請求項１又は２記載の理美容室用椅子。
【請求項４】
上記のポンプは、流体の貯留室と、貯留室に接続された加圧室と、加圧室から貯留室に流体が逆流するのを防ぐ副逆止弁と、操作レバーの操作にて摺動し加圧室内を加圧するピストンロッドと、ピストンロッドを加圧室内から後退させる方向に付勢する弾性体とを備え、
ピストンロッドを弾性体の付勢に抗して摺動させることにより、加圧室内の流体圧を上昇させることが可能であり、
加圧室の流体圧が貯留室の流体圧より高くなったとき、副逆止弁は、貯留室と加圧室とを閉鎖し、加圧室の流体圧より貯留室の流体圧が高くなったとき、副逆止弁は、貯留室と加圧室とを連絡して、流体を加圧室へ供給するものであり、
サージタンクは、前記の逆止弁を介して、ポンプの上記加圧室と接続され、
加圧室の流体圧がサージタンク内の流体圧より高くなった際、逆止弁は、加圧室と第１の通路とを連絡し、加圧室内の流体圧よりサージタンク内の流体圧が高くなったとき、逆止弁は、加圧室と第１の通路とを遮断し、
サージタンクは、弾性部の付勢により可動部分を変位させて内容積を縮小し、第２の通路からサージタンク内の流体をシリンダ内へ送り、昇降軸を上昇させるものであることを特徴とする請求項３記載の理美容院の椅子。
【発明の詳細な説明】
【技術分野】
【０００１】
本願発明は、理美容室用椅子に関するものである。
【背景技術】
【０００２】
理容室或いは美容室の、理髪や施術を受ける者が座る椅子については、座部の高さを調整することが可能なものが一般的である。
このような座部の高さ調整を行うことが可能な理美容室用の椅子として、座部を支持する支柱（昇降軸）を、油圧にて昇降させるものが提案されている（特許文献１及び特許文献２）。
この椅子は、特許文献１の図３及び同図１に示す通り、座部を支持する昇降軸を油圧ポンプにて、昇降させるものである。具体的には、この椅子は、図５へ示す通り、座部と、座部を支持する昇降軸３と、昇降軸を受容するシリンダ４と、操作レバー５（ステップ）と、昇降軸３を昇降させる流体圧を操作レバー５の操作により発生させてオイル（動作油）をシリンダへ送り込む油圧ポンプ６とを備える。油圧ポンプ６とシリンダ４とは通路９によって連絡している。また、油圧ポンプ６と通路９の間には、逆止弁８が設けられ、オイルが油圧ポンプ６側へ逆流しないよう構成されている。
これらの椅子において、操作レバー５を繰り返し踏み込むことによって、油圧ポンプ６が逐次油圧を発生させ、通路９を通じてシリンダ４にオイルを送り、昇降軸３を上昇させることができる。
【０００３】
【特許文献１】特開平１５−２５９９２９号公報
【特許文献２】実用新案登録第３０７２５４１号公報
【０００４】
しかし、この椅子は、油圧ポンプ６にて加圧したオイルのほぼ全てを直ちに、油圧をシリンダ４内へ送り込むものであるため、踏み込み毎に、段階的（間欠的）且つ鋭敏に昇降軸３が上昇する。このため、座部に座する者にとって、上昇・急停止が、小刻みに繰り返されることになり、がくんがくんと体が上方に移動させられ、極めて不快である。
【発明の開示】
【発明が解決しようとする課題】
【０００５】
そこで、本願発明は、理容美容用椅子の昇降について、上記のぎこちない上昇をスムーズなものとすることによって、上記の問題の解決を図った。
【課題を解決するための手段】
【０００６】
本願第１の発明は、座部１と、座部１を支持する昇降軸３と、昇降軸３を受容するシリンダ４と、操作レバー５と、昇降軸３を昇降させる流体圧を操作レバーの操作により発生させて流体をシリンダ４へ送り込むポンプ６とを備えた理美容室用椅子について、次のものを提供する。
即ち、この椅子は、ポンプ６に接続されたサージタンク７と、ポンプ６とサージタンク７の間に設けられた逆止弁８とを備える。サージタンク７は、内容積を拡縮することが可能であり、弾性部を備えると共に当該弾性部から内容積を縮小するよう付勢を受ける。サージタンク７は、ポンプ６からの流体圧を受けることにより弾性部の付勢に抗して内容積を拡大し、ポンプ６からシリンダ４へ送られる流体の少なくとも一部を収容すると共に、ポンプ６から受ける流体圧の低下に伴い、弾性部の上記付勢にて内容積を縮小し、流体をシリンダ４へ送り出す。逆止弁８は、ポンプ６からの流体圧によりポンプ６とサージタンク７とを連絡し、上記サージタンク７の流体圧の上昇によりポンプ６とサージタンク７とを遮断する。
【０００７】
本願第２の発明は、上記本願第１の発明にあって、次の構成を備えた理美容室用椅子を提供する。
即ち、記のサージタンク７は、可動部分を備える。また、可動部分は、弾性部の上記付勢を受けるものであり、可動部分の変位にて、サージタンク７の内容積が拡縮する。
【０００８】
本願第３の発明は、上記第１又は第２の発明にあって、次の構成を備えた理美容室用椅子を提供する。
即ち、この椅子は、逆止弁８とサージタンク７とを連絡する第１の通路と、第１の通路から分岐してシリンダ４へ通じる第２の通路とを備える。第１の通路が形成する流体の流路の横断面積は、第２の通路が形成する流体の流路の横断面積より大きい。
上記の流路の横断面積とは、通路を移動する流体の移動方向と交差する面（仮想面）にて、流体を切った際の流体の断面積をいう。
【０００９】
本願第４の発明は、上記第３の発明にあって、次の構成を備えた理美容室用椅子を提供する。
即ち、上記のポンプ６は、流体の貯留室６０ａと、貯留室６０ａに接続された加圧室６０ｂと、加圧室６０ｂから貯留室６０ａに流体が逆流するのを防ぐ副逆止弁６７と、操作レバー５の操作にて摺動し加圧室内を加圧するピストンロッド６１と、ピストンロッド６１を加圧室内から後退させる方向に付勢する弾性体６８とを備える。ピストンロッド６１を弾性体６８の付勢に抗して摺動させることにより、加圧室６０ｂ内の流体圧を上昇させることが可能である。加圧室６０ｂの流体圧が貯留室６０ａの流体圧より高くなったとき、副逆止弁６７は、貯留室６０ａと加圧室６０ｂとを閉鎖し、加圧室６０ｂの流体圧より貯留室６０ａの流体圧が高くなったとき、副逆止弁６７は、貯留室６０ａと加圧室６０ｂとを連絡して、流体を加圧室６０ｂへ供給する。サージタンク７は、前記の逆止弁８を介して、ポンプ６０の上記加圧室６０ｂと接続されている。加圧室６０ｂの流体圧がサージタンク７内の流体圧より高くなった際、逆止弁８は、加圧室６０ｂと第１の通路８０とを連絡し、加圧室６０ｂ内の流体圧よりサージタンク７内の流体圧が高くなったとき、逆止弁８は、加圧室６０ｂと第１の通路８０とを遮断する。サージタンク７は、弾性部７１の付勢により可動部分７０を変位させて内容積を縮小し、第２の通路からサージタンク内の流体をシリンダ内へ送り、昇降軸３を上昇させる。
【発明の効果】
【００１０】
本願の上記第１〜４発明によって、ポンプからの流体全てを一度に昇降軸を支持するシリンダ内へ送り込むのではなく、流体の少なくとも一部を、拡大・縮小が可能なサージタンクへ一旦収容した後、弾性部の反発力（付勢）を利用して、上記シリンダへ送るものであるため、ポンプで発生させた流体圧の急激なシリンダーへの移動を緩衝することができ、スムーズに昇降軸を上昇させることができる。即ち、従来の理美容室用の椅子にない、内容積を拡縮可能なサージタンクをポンプと昇降軸のシリンダとの間に設けることによって、スムーズな座部の上場動作を行うことが可能となった。
また、上記本願第２の発明は、サージタンクを拡縮させるより具体的な手段を提供し得た。
更に、上記本願第３の発明は、ポンプによる流体の加圧時、上記第２通路からシリンダへ直ちに送り込まれる流体に比べて、サージタンク内へ滞留しサージタンクの内容積の拡大に作用した後第２通路からシリンダへ送られる流体の量を多く設定したものであり、これによって、緩衝効果をより高めて、よりスムーズな昇降軸の上昇を行うことが可能となった。
また上記本願第４の発明は、上記ポンプ６として具体的な手段を提供した。
【発明を実施するための最良の形態】
【００１１】
以下、図面を参照しつつ、本願発明の好ましい実施の形態について、説明する。図１〜図４へ本願発明の一実施の形態を示す。図１は、本願発明に係る理美容室用椅子の一実施の形態を示す全体側面図である。図２は図１に示す椅子においてポンプの作動開始状態を示す要部略縦断面図である。図３は図１に示す椅子においてポンプの作動終了時の状態を示す要部略縦断面図である。図４は、上記椅子の要部略平面図である。尚、図２及び図３において、図面の煩雑を避けるため、付すべきハッチングの一部を省略して描いてある。
説明の便宜上、図面において、適宜、Ｕは上方を、Ｓは下方を、Ｆは前方を、Ｂは後方を示す。
【００１２】
図１へ示す通り、この理美容室用椅子は、理髪や施術される者が座る座部１と、座部１を支持する脚部２とを備える。
以下各部の構成について説明する。
【００１３】
脚部２は、座部１に接続された昇降軸３と、昇降軸３を収容する昇降装置２０と、昇降装置２０を覆うケーシング２１とを備える。
図２へ示す通り、昇降装置２０は、昇降軸３を受容するシリンダ４と、シリンダ４へ流体を送り込むポンプ６と、ポンプ６に接続されたサージタンク７と、ポンプ６とサージタンク７との間に設けられた逆止弁８と、サージタンク７とシリンダ４とを連絡する流体の通路９とを内蔵し、その外部にポンプ６の操作レバー５を備える。尚、図２及び図３において、上記のケーシング２１を外した状態を示している。
【００１４】
上記のポンプ６は、油圧ポンプである。ポンプ６は、オイルタンク６０と、ピストンロッド６１と、弾性体６８とを備える。
オイルタンク６０は、脚部２内部において上記のシリンダ４と隔されて設けられている。
オイルタンク６０は、オイル（作動油）を貯留する貯留室６０ａと、副逆止弁６７を介して貯留室６０ａに接続され且つオイルを加圧する加圧室６０ｂとを備える。この実施の形態において、加圧室６０ｂは、貯留室６０ａの下方に位置する。
副逆止弁６７は、加圧室６０ｂから貯留室６０ａへオイルが逆流するのを防ぐチェック弁として設けられている。この実施の形態において、副逆止弁６７は、弁体としてボール６７ａを有するものであり、当該ボール６７ａの変位にて、弁の開閉を行う。
オイルタンク６０（の貯留室６０ａ）には、オイルタンク６０内部から外部へ通じる貫通孔６２が設けられている。
この貫通孔６２は、オイルタンク６０の上部において外部へ通じるものであり、上記のピストンロッド６１を受容する。貫通孔６２は、ピストンロッド６１にて塞がれると共に、オイルタンク６０内にて上下に摺動することができるようピストンロッド６１を保持する。
オイルには、タービン油や、サラダ油を用いることができる。
【００１５】
ピストンロッド６１の後端（上端）は、貫通孔６２によって、オイルタンク６０の外部へ露出する。オイルタンク６０内において、ピストンロッド６１の先端には、円柱状のスタッドバルブ６３が設けられている。またピストンロッド６１のオイルタンク６０内に収容される部分について、スタッドバルブ６３より上方にスタッドバルブより外径が大きいフランジ部６４が設けられている。
オイルタンク６０の内部に、上記スタッドバルブ６３を嵌めることが可能な筒状のシリンダ部６５が設けられている。シリンダ部６５は、その内径をスタッドバルブ６３の外径と等しくする。
上記のスタッドバルブ６３の下端には、下方に突出する突起６６が設けられている。
【００１６】
このシリンダ部６５は、オイルタンク６０内に固定されたものであり、上下に開口端を備える。筒状のシリンダ部６５の後端（上端）は、貯留室６０ａ内にて開口し、シリンダ部６５の先端（下端）は、加圧室６０ｂ内にて開口する。
オイルタンク６０内において、シリンダ部６５の後端（上端）よりその内部へ、ピストンロッド６１のスタッドバルブ６３が挿入される。貯留室６０ａと加圧室６０ｂとは、上記の副逆止弁６７以外に、このシリンダ部６５の内部にて連絡するものであるが、上記の通り、スタッドバルブ６３の挿入により、当該連絡は断たれている。
スタッドバルブ６３の内部には、スッタドバルブ６０の側面において、一端が開口し他端が当該開口部より上部に開口する内部通路６３ａを備える。
【００１７】
上記のピストンロッド６１が降下することにより、スタッドバルブ６３はシリンダ部６５の奥（下方）へ変位し、加圧室６０ｂ内の油圧が貯留室６０ａ内の油圧より高まった際、上記の副逆止弁６７は、閉弁する。逆に、ピストンロッド６１が上昇し、スタッドバルブ６５のシリンダ部６５内へ入り込んでいる幅が浅くなる方向（上方）へ変位し、加圧室６０ｂ内の油圧が貯留室６０ａ内の油圧より低くなった際、チェック弁６７は、開弁する。チェック弁６７の当該開弁により、貯留室６０ａと加圧室６０ｂとが連絡し、貯留室６０ａから加圧室６０ｂへオイルが供給される。
上記のシリンダ部６２の上端と、上記フランジ部６４との間に、上記の弾性体６８が介される。この実施の形態において、弾性体６８は、コイル状のスプリングであり、当該弾性体６８の付勢を受けて、フランジ部６４が、その下方に位置するシリンダ部６４に対して上方に遠ざかろうとする。即ち、弾性体６８によって、ピストンロッド６１は、貫通孔６２からオイルタンク６０（の貯留室６０ａ）の外部へ出る方向（上方）に付勢される。
【００１８】
オイルタンク６０の上記加圧室６０ｂは、前記の逆止弁８を介して、サージタンク７に接続されている。
逆止弁８は、この実施の形態において、ボール８１を弁体とするものであり、当該ボール８１の変位にて弁の開閉を行う。
この実施の形態において、サージタンク７は、オイルタンク６０の加圧室６０ｂの下部に位置する。逆止弁８とサージタンク７との間は、第１の通路８０にて連絡している。また、第１の通路８０から前述の通路９（以下第２の通路９と呼ぶ。）が分岐している。
第１の通路８０が形成する流体の流路の横断面積は、第２の通路９が形成する流体の流路の横断面積より大きい。
【００１９】
サージタンク７は、可動部分を有し、可動部分の変位にて、内容積を拡大し縮小する（拡縮する）。具体的には、サージタンク７は、可動部分としてピストン７０を備える。ピストン７０は、逆止弁８側に近接・離反する（上下に移動する）ことによって、サージタンク７の内容積を拡縮する。
また、サージタンク７は、弾性部７１を備える。弾性部７１には、バネを採用することができる。弾性部７１は、ピストン７０をサージタンク７の内容積を縮小する方向（上方）へ付勢する。バネは、６０〜１００ｋｇの反発力を有するものが好ましい。特に、昇降軸３が支える座部１及び着座する人の体重を考慮して８０ｋｇ程度の反発力を有するものを採用するのが好ましい。
【００２０】
上記の逆止弁８は、加圧室６０ｂ側の油圧がサージタンク９側の油圧よりも高いとき、開弁して、ポンプ６（の加圧室６０ｂ）と第１の通路８０とを連絡し、シリンダ部６６のオイルをサージタンク７内へ導入することができる。また、逆止弁８は、加圧室６０ｂ側の油圧がサージタンク９側の油圧よりも低くなったとき、閉弁して、ポンプ６（加圧室６０ｂ）と第１の通路８０とを遮断する。
【００２１】
前記のシリンダ４は、上方に開放されたものであり、上方より昇降軸３が挿入されている。即ち、昇降軸３によって、シリンダ４の上部は塞がれている。
シリンダ４内の油圧が上昇することで、昇降軸３は、シリンダ４に対して上昇する。受圧面となるシリンダ４の下端部には、シリンダ４の側面に通じる導通路３０が形成されている。シリンダ４の内周面は、シリンダ４内周面には、シリンダの径外方向に凹んだオイルの退避路４０が形成されている。
シリンダ４内を昇降軸３が上昇し、上記の導通路３０のシリンダ４側面での開口部が、上記の退避路４０へ到達したとき、シリンダ４内のオイルは、導通路３０を通じ退避路４０から他（オイルタンク６０の貯留室６０ａ内）へ逃がされ、それ以上昇降軸３を上昇させない。
【００２２】
上記の操作レバー５は、昇降装置２０の外部（表面）に軸止されている。即ち、操作レバー５は、この軸止部分を中心として揺動可能である。この操作レバー５は、上記ピストンロッド６１のオイルタンク６０より外部へ露出する部分（上端）と当接する。操作レバー５をステップとして踏み込むことにより、ピストンロッド６１をオイルタンク６０内へ押し込むこと（図１）、即ちピストンロッド６１を降下させることができる。
操作レバー５について詳述すると、図４へ示す通り、操作レバー５は、軸止部５０と、軸止部５０に設けられた平面視コの字形の押圧部５１と、軸止部５０に設けられたステップ部５２とを有する。図２へ示す通り、軸止部５０は、昇降装置２０のピストンロッド６１と反対側において、昇降装置２０側面へ軸止され、押圧部５１が昇降装置２０を取り囲む。ステップ部５２は、昇降装置２０に対して軸止部５０の反対側に伸びる。上記の押圧部５１が、ピストンロッド６１と当接する。
上記のステップ部５２を踏み込むことにより、軸止部５０が回動し、押圧部５１が、ピストンロッド６１の上端を下方に押す。
尚、操作レバー５（押圧部５０）として、特開平１５−２５９９２９号（特許文献１）に示すストッパー機構を備えたものを採用するのが好ましい。
【００２３】
以下、この椅子の座部１の上昇の動作について説明する。
操作レバー５（ステップ部５２）を踏み込むことにより、図２へ示す通り、弾性体６８の付勢に抗してピストンロッド６１を下方へ移動させる。これにて、スタッドバルブ６３が、加圧室６０ｂを加圧し、加圧室６０ｂ内の油圧を上昇させる。加圧室６０ｂ内の油圧がサージタンク７（第１の通路８０側）の流体圧より高くなると、逆止弁８はそのボール８１を（下方に）変位させ、逆止弁８を開弁し、オイルタンク６０の加圧室６０ｂ内のオイルは、第１の通路８０に入る。このとき、オイルは、サージタンク７に導入されるが、その一部が第２の通路９から直接シリンダ４内へ導入される。但し、前述の通り、第１の通路８０の流路断面を、第２の通路９の流路断面より大きく設定することにより、オイルは、第２の通路９から直接シリンダ４へ送られるものより、一旦サージタンク７内に送られるもののほうが多い。第２の通路９は、内径を０．５ｍｍ〜１．５ｍｍとするのが好ましく、特に１．２ｍｍとするのが好ましい。
また、このとき副逆止弁６７は閉弁している。
【００２４】
上記操作レバー５の踏み込み後、加圧室６０ｂ内のオイルが逆止弁８を通じて第１通路８０側へ移動し、加圧室６０ｂの内圧が、サージタンク７内より低下すると、逆止弁８は閉弁する。そして、サージタンク７は、弾性部７１の付勢により可動部分７０を変位させて内容積を縮小し、第２の通路９からサージタンク内のオイルをシリンダ４内へ送り、シリンダ４内の油圧を高めて昇降軸３を上昇させる。
次の踏み込みのために、操作レバー５の踏み込みを止めると、弾性体６８の付勢にて、ピストンロッド６１は上昇する。ピストンロッド６１の上昇に伴いスタッドバルブ６３が上昇することにより、加圧室６０ｂに負圧が発生し、副逆止弁６７が開弁して、貯留室６０ａからオイルが加圧室６０ｂへ供給される。
上記の昇降軸３の上昇によりシリンダ４内に発生した負圧によって、サージタンク７内の油圧が、上記の加圧室６０ｂ内の油圧より低くなると、即ち、加圧室６０ｂ内の油圧がサージタンク７（第１の通路８０側）の油圧より高くなると、逆止弁８がボール８１を変位させて開弁する。
【００２５】
図１に示す通り、このような踏み込み動作を繰り返すことによって、昇降軸３を上昇させ、座部１を上方へ移動させることができる。
一方、座部１を下げるときは、操作レバー５を上記より深く踏み込んで、スタッドバルブ６３を降下させ、突起６６にて逆止弁８のボール８１押し下げる。このように、逆止弁８のボール８０を変位させ逆止弁８を強制的に開弁状態として、シリンダ４内のオイルを第２の通路９から、オイルタンク６０内へ逆流させる。これによって、シリンダ４内からオイルを抜き、昇降軸３を降下させて座部１を下げることができる。上記の踏み込みに際して、スタッドバルブ６３内の内部通路６３ａを通じて、加圧室６０ｂ内のオイルが貯留室６０ａへ逃がされる。
【００２６】
上記において、貯留室６０ａと加圧室６０ｂとの間の流体圧（油圧）の大小関係による副逆止弁６７の開閉の状況、更に、加圧室６０ｂとサージタンク７との間の流体圧（油圧）の大小関係による逆止弁８の開閉の状況は、流体（オイル）の移動が安定した状況（静的な状況）を基準に説明した。しかし、各部の流体圧の変動直後に、一時的に、貯留室６０ａと加圧室６０ｂとの間の流体圧（油圧）の大小関係と、副逆止弁６７の開閉の状況とが、更に、加圧室６０ｂとサージタンク７との間の流体圧（油圧）の大小関係と、逆止弁８の開閉の状況とが、上記と整合しない状況を発生させることも考えられるが、本願発明においては、これを許容するものである。即ち、流体圧変動後、流体の移動が安定した状態において、上述した各部の関係が成立すればよいのである。
また、上記の実施の形態において、貯留室６０ａの内圧（油圧）より加圧室６０ｂの内圧（油圧）が高くなったとき、副逆止弁６７はボールを変位させて閉弁するものとした。この他、例えば、加圧室６０ｂの内圧（油圧）にボール６７ａを付勢するバネの反発力（付勢力）を加えた力が、貯留室６０ａの内圧（油圧）より、高くなったとき、副逆止弁６７を閉弁し、加圧室６０ｂの内圧（油圧）にボール６７ａを付勢するバネの反発力を加えた力が、貯留室６０ａの内圧（油圧）より低くなったとき、開弁するものとして実施することが可能である。
同様に、上記の実施の形態において、サージタンク７（第１の通路８０側）の内圧が加圧室６０ｂの内圧より高くなったとき、逆止弁８はボール８１を変位させて閉弁するものとした。この場合も、サージタンク７（第１の通路８０側）の内圧に上記ボール８１を付勢するバネの反発力（付勢力）を加えた力が、加圧室６０ｂの内圧より高くなったとき、逆止弁８はボール８１を変位させて閉弁するものとし、サージタンク７（第１の通路８０側）の内圧に上記ボール８１を付勢するバネの反発力（付勢力）を加えた力が、加圧室６０ｂの内圧より低くなったとき逆止弁８はボール８１を変位させて開弁するものとして実施可能である。即ち、副逆止弁６７と、逆止弁８の開閉の基準は、上記の実施の形態に限定するものではない。
【００２７】
上記の実施の形態において、流体をオイルとし、ポンプ６を油圧ポンプとしたが、オイルに代え、空気などの気体や加圧可能な他の流体を用いるものとし、そのような流体を加圧することが可能なポンプを採用して実施することも可能である。
【図面の簡単な説明】
【００２８】
【図１】本願発明の一実施の形態の椅子を示す全体側面図である。
【図２】上記椅子の要部略縦断面図である。
【図３】上記椅子の要部略縦断面図である。
【図４】上記椅子の要部略平面図である。
【図５】従来の椅子の要部略縦断面図である。
【符号の説明】
【００２９】
１    座部
３    昇降軸
４    シリンダ
５    操作レバー
６    ポンプ
７    サージタンク
８    逆止弁
【図１】
2006223450.tif 000003
【図２】
2006223450.tif 000004
【図３】
2006223450.tif 000005
【図４】
2006223450.tif 000006
【図５】
2006223450.tif 000007
【手続補正書】
【提出日】平成17年4月26日(2005.4.26)
【手続補正１】
【補正対象書類名】特許請求の範囲
【補正対象項目名】全文
【補正方法】変更
【補正の内容】
【特許請求の範囲】
【請求項１】
座部と、座部を支持する昇降軸と、昇降軸を受容するシリンダと、操作レバーと、昇降軸を昇降させる流体圧を操作レバーの操作により発生させて流体をシリンダへ送り込むポンプとを備えた理美容室用椅子において、
ポンプに接続されたサージタンクと、ポンプとサージタンクの間に設けられた逆止弁とを備え、
サージタンクは、内容積を拡縮することが可能であり、弾性部を備えると共に当該弾性部から内容積を縮小するよう付勢を受け、
サージタンクは、ポンプからの流体圧を受けることにより弾性部の付勢に抗して内容積を拡大し、ポンプからシリンダへ送られる流体の少なくとも一部を収容すると共に、ポンプから受ける流体圧の低下に伴い、弾性部の上記付勢にて内容積を縮小し、流体をシリンダへ送り出すものであり、
逆止弁は、サージタンクからポンプへの流体の逆流を防止するものであり、
逆止弁は、ポンプからの流体圧を受けることによりポンプとサージタンクとを連絡し、サージタンクの流体圧の上昇によりポンプとサージタンクとを遮断するものであることを特徴とする理美容室用椅子。
【請求項２】
上記のサージタンクは、可動部分を備え、
可動部分は、弾性部の上記付勢を受けるものであり、可動部分の変位にて、サージタンクの内容積が拡縮するものであることを特徴とする請求項１記載の理美容室用椅子。
【請求項３】
逆止弁とサージタンクとを連絡する第１の通路と、第１の通路から分岐してシリンダへ通じる第２の通路とを備え、
第１の通路が形成する流体の流路の横断面積は、第２の通路が形成する流体の流路の横断面積より大きいことを特徴とする請求項１又は２記載の理美容室用椅子。
【請求項４】
上記のポンプは、流体の貯留室と、貯留室に接続された加圧室と、加圧室から貯留室に流体が逆流するのを防ぐ副逆止弁と、操作レバーの操作にて摺動し加圧室内を加圧するピストンロッドと、ピストンロッドを加圧室内から後退させる方向に付勢する弾性体とを備え、
ピストンロッドを弾性体の付勢に抗して摺動させることにより、加圧室内の流体圧を上昇させることが可能であり、
加圧室の流体圧が貯留室の流体圧より高くなったとき、副逆止弁は、貯留室と加圧室とを閉鎖し、加圧室の流体圧より貯留室の流体圧が高くなったとき、副逆止弁は、貯留室と加圧室とを連絡して、流体を加圧室へ供給するものであり、
サージタンクは、前記の逆止弁を介して、ポンプの上記加圧室と接続され、
加圧室の流体圧がサージタンク内の流体圧より高くなった際、逆止弁は、加圧室と第１の通路とを連絡し、加圧室内の流体圧よりサージタンク内の流体圧が高くなったとき、逆止弁は、加圧室と第１の通路とを遮断し、
サージタンクは、弾性部の付勢により可動部分を変位させて内容積を縮小し、第２の通路からサージタンク内の流体をシリンダ内へ送り、昇降軸を上昇させるものであることを特徴とする請求項３記載の理美容室用椅子。
【請求項５】
昇降軸と、昇降軸を受容するシリンダと、操作レバーと、昇降軸を昇降させる流体圧を操作レバーの操作により発生させて流体をシリンダへ送り込むポンプとを備えた昇降軸の昇降装置において、
ポンプに接続されたサージタンクと、ポンプとサージタンクの間に設けられた逆止弁とを備え、
サージタンクは、内容積を拡縮することが可能であり、弾性部を備えると共に当該弾性部から内容積を縮小するよう付勢を受け、
サージタンクは、ポンプからの流体圧を受けることにより弾性部の付勢に抗して内容積を拡大し、ポンプからシリンダへ送られる流体の少なくとも一部を収容すると共に、ポンプから受ける流体圧の低下に伴い、弾性部の上記付勢にて内容積を縮小し、流体をシリンダへ送り出すものであり、
逆止弁は、サージタンクからポンプへの流体の逆流を防止するものであり、
逆止弁は、ポンプからの流体圧を受けることによりポンプとサージタンクとを連絡し、サージタンクの流体圧の上昇によりポンプとサージタンクとを遮断するものであることを特徴とする昇降軸の昇降装置。
【手続補正３】
【補正対象書類名】明細書
【補正対象項目名】０００９
【補正方法】変更
【補正の内容】
【０００９】
本願第４の発明は、上記第３の発明にあって、次の構成を備えた理美容室用椅子を提供する。
即ち、上記のポンプ６は、流体の貯留室６０ａと、貯留室６０ａに接続された加圧室６０ｂと、加圧室６０ｂから貯留室６０ａに流体が逆流するのを防ぐ副逆止弁６７と、操作レバー５の操作にて摺動し加圧室内を加圧するピストンロッド６１と、ピストンロッド６１を加圧室内から後退させる方向に付勢する弾性体６８とを備える。ピストンロッド６１を弾性体６８の付勢に抗して摺動させることにより、加圧室６０ｂ内の流体圧を上昇させることが可能である。加圧室６０ｂの流体圧が貯留室６０ａの流体圧より高くなったとき、副逆止弁６７は、貯留室６０ａと加圧室６０ｂとを閉鎖し、加圧室６０ｂの流体圧より貯留室６０ａの流体圧が高くなったとき、副逆止弁６７は、貯留室６０ａと加圧室６０ｂとを連絡して、流体を加圧室６０ｂへ供給する。サージタンク７は、前記の逆止弁８を介して、ポンプ６０の上記加圧室６０ｂと接続されている。加圧室６０ｂの流体圧がサージタンク７内の流体圧より高くなった際、逆止弁８は、加圧室６０ｂと第１の通路８０とを連絡し、加圧室６０ｂ内の流体圧よりサージタンク７内の流体圧が高くなったとき、逆止弁８は、加圧室６０ｂと第１の通路８０とを遮断する。サージタンク７は、弾性部７１の付勢により可動部分７０を変位させて内容積を縮小し、第２の通路からサージタンク内の流体をシリンダ内へ送り、昇降軸３を上昇させる。
本願第５の発明は、昇降軸３と、昇降軸３を受容するシリンダ４と、操作レバー５と、昇降軸３を昇降させる流体圧を操作レバー５の操作により発生させて流体をシリンダ４へ送り込むポンプ６とを備えた昇降軸の昇降装置について、次の構成を備えたものを提供する。
即ち、ポンプ６に接続されたサージタンク７と、ポンプ６とサージタンク７の間に設けられた逆止弁８とを備える。サージタンク７は、内容積を拡縮することが可能であり、弾性部を備えると共に当該弾性部から内容積を縮小するよう付勢を受ける。サージタンク７は、ポンプ６からの流体圧を受けることにより弾性部の付勢に抗して内容積を拡大し、ポンプ６からシリンダ４へ送られる流体の少なくとも一部を収容すると共に、ポンプ６から受ける流体圧の低下に伴い、弾性部の上記付勢にて内容積を縮小し、流体をシリンダ４へ送り出すものである。逆止弁８は、サージタンク７からポンプ６への流体の逆流を防止するものである。逆止弁８は、ポンプ６からの流体圧を受けることによりポンプ６とサージタンク７とを連絡し、サージタンク７の流体圧の上昇によりポンプ６とサージタンク７とを遮断する。
【手続補正４】
【補正対象書類名】明細書
【補正対象項目名】００１０
【補正方法】変更
【補正の内容】
【００１０】
本願の上記第１〜５の発明によって、ポンプからの流体全てを一度に昇降軸を支持するシリンダ内へ送り込むのではなく、流体の少なくとも一部を、拡大・縮小が可能なサージタンクへ一旦収容した後、弾性部の反発力（付勢）を利用して、上記シリンダへ送るものであるため、ポンプで発生させた流体圧の急激なシリンダーへの移動を緩衝することができ、スムーズに昇降軸を上昇させることができる。即ち、従来の理美容室用の椅子にない、内容積を拡縮可能なサージタンクをポンプと昇降軸のシリンダとの間に設けることによって、スムーズな座部の上場動作を行うことが可能となった。
また、上記本願第２の発明は、サージタンクを拡縮させるより具体的な手段を提供し得た。
更に、上記本願第３の発明は、ポンプによる流体の加圧時、上記第２通路からシリンダへ直ちに送り込まれる流体に比べて、サージタンク内へ滞留しサージタンクの内容積の拡大に作用した後第２通路からシリンダへ送られる流体の量を多く設定したものであり、これによって、緩衝効果をより高めて、よりスムーズな昇降軸の上昇を行うことが可能となった。
また上記本願第４の発明は、上記ポンプ６として具体的な手段を提供した。